【手続補正書】
【提出日】平成19年10月26日(2007.10.26)
【手続補正１】
【補正対象書類名】明細書
【補正対象項目名】特許請求の範囲
【補正方法】変更
【補正の内容】
【特許請求の範囲】
【請求項１】  インクを吐出するためのプリントヘッドを用いてプリントを行なうインクジェットプリント装置において、
前記プリントヘッドの使用履歴に係る情報を計測する手段と、
前記使用履歴に係る情報に基づいて前記プリントヘッドからインクを吐出する吐出タイミングを制御する手段と、
を具えたことを特徴とするインクジェットプリント装置。
【請求項２】  前記プリントヘッドは、プリント媒体に対する主走査方向とは異なる方向に配列された吐出口の列を前記主走査方向に複数有し、前記制御手段は、前記複数の列間で前記吐出タイミングの制御を行なうことを特徴とする請求項１に記載のインクジェットプリント装置。
【請求項３】  前記プリントヘッドをプリント媒体に対し往方向および復方向に走査してプリントを行なわせる手段を具え、前記制御手段は、前記往方向および復方向の走査間で前記吐出タイミングの制御を行なうことを特徴とする請求項１に記載のインクジェットプリント装置。
【請求項４】  前記制御手段は、前記インクを吐出させるために前記プリントヘッドに付与する駆動信号のエネルギを調整することでインク吐出量を制御することを特徴とする請求項１に記載のインクジェットプリント装置。
【請求項５】  前記制御手段は、前記プリントヘッドに付与する駆動パルスの幅を調整することを特徴とする請求項４に記載のインクジェットプリント装置。
【請求項６】  前記計測手段は前記プリントヘッドにインク吐出を行なわせるために付与される駆動信号の数を計数する手段を有することを特徴とする請求項１に記載のインクジェットプリント装置。
【請求項７】  前記計測手段は前記プリントヘッドの温度とその温度での経過時間とを関連付けて計測する手段を有することを特徴とする請求項１に記載のインクジェットプリント装置。
【請求項８】  前記計測手段は、前記プリントヘッドにインク吐出を行なわせるために付与される駆動信号の数を計数する手段および前記プリントヘッドの温度とその温度での経過時間とを関連付けて計測する手段を有し、前記制御手段は、前記計測手段による計測に基づく前記使用履歴に係る情報に応じて、前記プリントヘッドからインクを吐出する吐出タイミングを制御するとともに前記インクを吐出させるために前記プリントヘッドに付与する駆動信号のエネルギを調整することでインク吐出量を制御することを特徴とする請求項１に記載のインクジェットプリント装置。
【請求項９】  前記計測手段による計測に基づく前記使用履歴に係る情報として、前記プリントヘッドの使用を開始した時点からの前記駆動信号の数を累積的に記憶する記憶手段を具えたことを特徴とする請求項６に記載のインクジェットプリント装置。
【請求項１０】  前記計測手段による計測に基づく前記使用履歴に係る情報として、前記プリントヘッドの使用を開始した時点からの温度の履歴を記憶する記憶手段を具えたことを特徴とする請求項７に記載のインクジェットプリント装置。
【請求項１１】  前記計測手段による計測に基づく前記使用履歴に係る情報として、前記プリントヘッドの使用を開始した時点からの前記駆動信号の数を累積的に記憶するとともに温度の履歴を記憶する記憶手段を具えたことを特徴とする請求項９に記載のインクジェットプリント装置。
【請求項１２】  請求項１ないし８のいずれかに記載のインクジェットプリント装置に交換可能なユニットの形態を有し、前記計測手段による計測に基づく前記使用履歴に係る情報を記憶する記憶手段を具えたことを特徴とするプリントヘッド。
【請求項１３】  インクを吐出するために利用されるエネルギとして、インクに膜沸騰を生じさせる熱エネルギを発生する電気熱変換体を有することを特徴とする請求項１２に記載のプリントヘッド。
【請求項１４】  インクを吐出するためのプリントヘッドを用いるインクジェットプリント方法において、
前記プリントヘッドの使用履歴に係る情報を計測する工程と、
前記使用履歴に係る情報に基づいて前記プリントヘッドからインクを吐出する吐出タイミングを制御する工程と、
を具えたことを特徴とするインクジェットプリント方法。
【請求項１５】  前記プリントヘッドはプリント媒体に対する主走査方向とは異なる方向に配列された吐出口の列を前記主走査方向に複数有し、前記制御工程は、前記複数の列間で前記吐出タイミングの制御を行なうことを特徴とする請求項１４に記載のインクジェットプリント方法。
【請求項１６】  前記プリントヘッドをプリント媒体に対し往方向および復方向に走査してプリントを行なわせる工程を具え、前記制御工程は、前記往方向および復方向の走査間で前記吐出タイミングの制御を行なうことを特徴とする請求項１４に記載のインクジェットプリント方法。
【請求項１７】  前記制御工程は、前記インクを吐出させるために前記プリントヘッドに付与する駆動信号のエネルギを調整することでインク吐出量を制御することを特徴とする請求項１４に記載のインクジェットプリント方法。
【請求項１８】  前記制御工程は、前記プリントヘッドに付与する駆動パルスの幅を調整することを特徴とする請求項１７に記載のインクジェットプリント方法。
【請求項１９】  前記計測工程は前記プリントヘッドにインク吐出を行なわせるために付与される駆動信号の数を計数する工程を有することを特徴とする請求項１４に記載のインクジェットプリント方法。
【手続補正２】
【補正対象書類名】明細書
【補正対象項目名】００１０
【補正方法】変更
【補正の内容】
【００１０】
【課題を解決するための手段】
そのために、本発明は、インクを吐出するためのプリントヘッドを用いてプリントを行なうインクジェットプリント装置において、
前記プリントヘッドの使用履歴に係る情報を計測する手段と、
前記使用履歴に係る情報に基づいて前記プリントヘッドからインクを吐出する吐出タイミングを制御する手段と、
を具えたことを特徴とする。
【手続補正３】
【補正対象書類名】明細書
【補正対象項目名】００１１
【補正方法】変更
【補正の内容】
【００１１】
また、本発明は、インクを吐出するためのプリントヘッドを用いるインクジェットプリント方法において、
前記プリントヘッドの使用履歴に係る情報を計測する工程と、
前記使用履歴に係る情報に基づいて前記プリントヘッドからインクを吐出する吐出タイミングを制御する工程と、
を具えたことを特徴とする。
【手続補正４】
【補正対象書類名】明細書
【補正対象項目名】００１２
【補正方法】変更
【補正の内容】
【００１２】
これらにおいて、前記プリントヘッドは、プリント媒体に対する主走査方向とは異なる方向に配列された吐出口の列を前記主走査方向に複数有し、前記制御手段または工程は、前記複数の列間で前記吐出タイミングの制御を行なうものとすることができる。
【手続補正５】
【補正対象書類名】明細書
【補正対象項目名】００１３
【補正方法】変更
【補正の内容】
【００１３】
また、前記プリントヘッドをプリント媒体に対し往方向および復方向に走査してプリントを行なわせる手段を具え、前記制御手段または工程は、前記往方向および復方向の走査間で前記吐出タイミングの制御を行なうものとすることができる。
【手続補正６】
【補正対象書類名】明細書
【補正対象項目名】００１７
【補正方法】変更
【補正の内容】
【００１７】
または、前記計測手段は、前記プリントヘッドにインク吐出を行なわせるために付与される駆動信号の数を計数する手段および前記プリントヘッドの温度とその温度での経過時間とを関連付けて計測する手段を有し、前記制御手段は、前記計測手段による計測に基づく前記使用履歴に係る情報に応じて、前記プリントヘッドからインクを吐出する吐出タイミングを制御するとともに前記インクを吐出させるために前記プリントヘッドに付与する駆動信号のエネルギを調整することでインク吐出量を制御するものとすることができる。